(57)【要約】【課題】データ記録媒体に記録された、データ記録媒体毎にユニークな識別情報を用いてユーザにサービスを提供する。【解決手段】ＣＤ−Ｒ１には、ユニークな識別情報であるＵＩＤが予め記録される。ＣＤ−Ｒ１が情報端末１０に装填されると、ＵＩＤが読み取られ、インターネット１１を介して管理サーバ１２に送信される。管理サーバ１２では、受信されたＵＩＤに基づき、ＣＤ−Ｒ１に対して所定のデータの記録が可能か否かが判断される。例えば、ＵＩＤが正当なものであれば、管理サーバ１２から情報端末１０に対してコンテンツデータがダウンロードされ、ＣＤ−Ｒ１に記録される。また例えば、ＵＩＤが正当なものであれば、管理サーバ１２から情報端末１０に対してコンテンツデータのコピーまたはムーブを許可する通知がなされ、他の記録媒体に記録されたコンテンツデータがＣＤ−Ｒ１にコピーまたはムーブできるようになる。【選択図】　図２
2004134044.tif 000002
【特許請求の範囲】
【請求項１】
ユニークな識別情報が記録されてなる記録可能なデータ記録媒体であって、上記識別情報により所定のデータが記録可能か否かを識別されてなることを特徴とするデータ記録媒体。
【請求項２】
請求項１に記載のデータ記録媒体において、
上記所定のデータは、通信網を介してダウンロードされるデータであることを特徴とするデータ記録媒体。
【請求項３】
請求項１に記載のデータ記録媒体において、
上記所定のデータは、他のデータ記録媒体からコピーまたはムーブされるデータであることを特徴とするデータ記録媒体。
【請求項４】
請求項１に記載のデータ記録媒体において、
上記識別情報は、リードイン領域に先行する領域および／またはリードイン領域に記録されてなることを特徴とするデータ記録媒体。
【請求項５】
請求項１に記載のデータ記録媒体において、
記録データで変調された光信号によりデータが記録される光ディスクであることを特徴とするデータ記録媒体。
【請求項６】
請求項１に記載のデータ記録媒体において、
上記識別情報は、通信網を介して接続されるサーバ側で認証可能であることを特徴とするデータ記録媒体。
【請求項７】
ユニークな識別情報が記録されてなる記録可能なデータ記録媒体に対して所定のデータが記録可能か否かを上記識別情報により識別するステップを有することを特徴とするデータ記録方法。
【請求項８】
請求項７に記載のデータ記録方法において、
上記所定のデータは、通信網を介してダウンロードされるデータであることを特徴とするデータ記録方法。
【請求項９】
請求項７に記載のデータ記録方法において、
上記所定のデータは、他のデータ記録媒体からコピーまたはムーブされるデータであることを特徴とするデータ記録方法。
【請求項１０】
請求項７に記載のデータ記録方法において、
上記識別情報は、リードイン領域に先行する領域および／またはリードイン領域に記録されてなることを特徴とするデータ記録方法。
【請求項１１】
請求項７に記載のデータ記録方法において、
上記データ記録媒体は、記録データで変調された光信号によりデータが記録される光ディスクであることを特徴とするデータ記録方法。
【請求項１２】
請求項７に記載のデータ記録方法において、
上記識別情報は、通信網を介して接続されるサーバ側で認証可能であることを特徴とするデータ記録方法。
【請求項１３】
ユニークな識別情報が記録されてなる記録可能なデータ記録媒体に対してデータを記録する記録手段と、
上記データ記録媒体から上記識別情報を読み取る識別情報読み取り手段と
を有し、
上記記録手段は、上記識別情報読み取り手段により読み取られた上記識別情報により所定のデータが記録可能か否かを識別された結果に基づき上記データ記録媒体にデータを記録することを特徴とする情報端末装置。
【請求項１４】
請求項１３に記載の情報端末装置において、
通信網を介して外部と通信する通信手段をさらに有し、
上記所定のデータは、上記通信手段により上記通信網を介してダウンロードされるデータであることを特徴とする情報端末装置。
【請求項１５】
請求項１３に記載の情報端末装置において、
上記所定のデータは、他のデータ記録媒体からコピーまたはムーブされるデータであることを特徴とする情報端末装置。
【請求項１６】
請求項１３に記載の情報端末装置において、
上記識別情報は、リードイン領域に先行する領域および／またはリードイン領域に記録されてなることを特徴とする情報端末装置。
【請求項１７】
請求項１３に記載の情報端末装置において、
上記データ記録媒体は、記録データで変調された光信号によりデータが記録される光ディスクであることを特徴とする情報端末装置。
【請求項１８】
請求項１３に記載の情報端末装置において、
通信網を介して外部と通信する通信手段をさらに有し、
上記識別情報は、上記通信手段により上記通信網を介して接続されるサーバ側で認証可能であることを特徴とする情報端末装置。
【請求項１９】
ユニークな識別情報が記録されてなる記録可能なデータ記録媒体から上記識別情報を読み出して通信網を介して送信する情報端末装置から送信された上記識別情報を受信し、受信された該識別情報によって、所定のデータのダウンロードを可能とするか否かを判断し、該判断の結果に応じて、上記所定のデータのダウンロードを上記通信網を介して上記情報端末装置に対して提供することを特徴とする情報サービス方法。
【請求項２０】
請求項１９に記載の情報サービス方法において、
上記ダウンロードされた上記所定のデータは、上記データ記録媒体に記録されることを特徴とする情報サービス方法。
【請求項２１】
ユニークな識別情報が記録されてなる記録可能なデータ記録媒体から上記識別情報を読み出して通信網を介して送信する情報端末装置と、
上記情報端末装置から送信された上記識別情報を受信し、受信された該識別情報によって、所定のデータのダウンロードを可能とするか否かを判断し、該判断の結果に応じて、上記所定のデータのダウンロードを上記通信網を介して上記情報端末装置に対して提供するサーバ装置と
を有することを特徴とする情報サービス装置。
【請求項２２】
請求項２１に記載の情報サービス装置において、
上記ダウンロードされた上記所定のデータは、上記データ記録媒体に記録されることを特徴とする情報サービス装置。
【請求項２３】
ユニークな識別情報が記録されてなる記録可能なデータ記録媒体から上記識別情報を読み出して通信網を介して送信する情報端末装置から送信された上記識別情報を受信し、受信された該識別情報によって、所定のデータのコピーまたはムーブを可能とするか否かを判断し、該判断の結果に応じて、
上記所定のデータの上記コピーまたは上記ムーブを可能とするデータを上記通信網を介して上記情報端末装置に対して提供することを特徴とする情報サービス方法。
【請求項２４】
請求項２３に記載の情報サービス方法において、
上記コピーまたは上記ムーブにより、上記所定のデータが上記データ記録媒体に記録されることを特徴とする情報サービス方法。
【請求項２５】
ユニークな識別情報が記録されてなる記録可能なデータ記録媒体から上記識別情報を読み出して通信網を介して送信する情報端末装置と、
上記情報端末装置から送信された上記識別情報を受信し、受信された該識別情報によって、所定のデータのコピーまたはムーブを可能とするか否かを判断し、該判断の結果に応じて、上記所定のデータの上記コピーまたは上記ムーブを可能とするデータを上記通信網を介して上記情報端末装置に対して提供するサーバ装置と
を有することを特徴とする情報サービス方法。
【請求項２６】
請求項２５に記載の情報サービス装置において、
上記コピーまたは上記ムーブにより、上記所定のデータが上記データ記録媒体に記録されることを特徴とする情報サービス装置。
【発明の詳細な説明】
【０００１】
【発明の属する技術分野】
この発明は、固有の識別情報を有する記録可能なデータ記録媒体、ならびに、固有の識別情報を有する記録可能なデータ記録媒体を用いたデータ記録方法、情報端末装置、情報サービス方法および情報サービス装置に関する。
【０００２】
【従来の技術】
ディスク記録媒体や半導体メモリといった、一般のユーザがデータを記録可能なデータ記録媒体において、当該データ記録媒体を個体毎に識別するための識別情報を付加されたものが提案されている。例えば、特許文献１には、固有の識別情報であるメディアＩＤを有する光ディスク１が記載されている。
【０００３】
従来から、この個々のデータ記録媒体固有の識別情報を、当該データ記録媒体に記録されたデータに対するコピープロテクションのために用いることが行われている。例えば、ユーザがデータを記録可能なデータ記録媒体に対して、個々のデータ記録媒体に固有な識別情報を工場出荷時などに記録しておき、再生時に識別情報のチェックを行うようにすることで、記録可能なデータ記録媒体に記録されたデータの再生制御を行うことができ、コピープロテクションが可能である。
【０００４】
また、光ディスクにおいて、データの記録後に高出力のレーザ光などで識別情報を追記記録するポストスクライブドＩＤ（登録商標）を用いた方法では、例えばＣＤ−ＲＯＭ（Ｃｏｍｐａｃｔ　Ｄｉｓｃ−Ｒｅａｄ　Ｏｎｌｙ　Ｍｅｍｏｒｙ）のデータ領域に、個々のデータ記録媒体に識別情報を追記記録し、再生時にこれを専用のソフトウェアで読み出すことで、コピープロテクションを行うことができる。この方法は、ＣＤ−ＲＯＭにゲームプログラムやパーソナルコンピュータ用のアプリケーションソフトウェアを記録して販売するような場合に採用されることが多い。
【０００５】
さらに、例えば、ユーザにより任意にアクセス不可能な領域に、個々のデータ記録媒体に固有な識別情報を記録し、当該データ記録媒体データを記録する際に、当該データ記録媒体に固有の識別情報を暗号化鍵として暗号化することにより、コピープロテクションを行うことができる。
【０００６】
【特許文献１】
特開平１１−２５０５７２号公報
【０００７】
【発明が解決しようとする課題】
このように、従来では、個々のデータ記録媒体に固有な識別情報は、専らコピープロテクションに用いられ、この識別情報を用いてユーザに対してサービスを提供することは、考えられていなかった。
【０００８】
例えば、個々のデータ記録媒体に固有な識別情報に基づき、ユーザにネットワークを介したデータのダウンロードを許可するようなシステムは、従来存在しなかった。また例えば、個々のデータ記録媒体に固有な識別情報に基づき、他の記録媒体から当該データ記録媒体へのデータのコピーやムーブを制御するような技術も、従来存在しなかった。
【０００９】
近年では、このような、個々のデータ記録媒体に固有な識別情報をコピープロテクションだけに用いるのではなく、当該識別情報を用いてユーザに上述のようなサービスを提供する技術が望まれている。
【００１０】
したがって、この発明の目的は、データ記録媒体に記録された、個々のデータ記録媒体に固有の識別情報を用いてユーザにサービスを提供できるようなデータ記録媒体、データ記録方法および情報端末装置、ならびに、情報サービス方法および情報サービス装置を提供することにある。
【００１１】
【課題を解決するための手段】
この発明は、上述した課題を解決するために、ユニークな識別情報が記録されてなる記録可能なデータ記録媒体であって、識別情報により所定のデータが記録可能か否かを識別されてなることを特徴とするデータ記録媒体である。
【００１２】
また、この発明は、ユニークな識別情報が記録されてなる記録可能なデータ記録媒体に対して所定のデータが記録可能か否かを識別情報により識別するステップを有することを特徴とするデータ記録方法である。
【００１３】
また、この発明は、ユニークな識別情報が記録されてなる記録可能なデータ記録媒体に対してデータを記録する記録手段と、データ記録媒体から識別情報を読み取る識別情報読み取り手段とを有し、記録手段は、識別情報読み取り手段により読み取られた識別情報により所定のデータが記録可能か否かを識別された結果に基づきデータ記録媒体にデータを記録することを特徴とする情報端末装置である。
【００１４】
また、この発明は、ユニークな識別情報が記録されてなる記録可能なデータ記録媒体から識別情報を読み出して通信網を介して送信する情報端末装置から送信された識別情報を受信し、受信された識別情報によって、所定のデータのダウンロードを可能とするか否かを判断し、判断の結果に応じて、所定のデータのダウンロードを通信網を介して情報端末装置に対して提供することを特徴とする情報サービス方法である。
【００１５】
また、この発明は、ユニークな識別情報が記録されてなる記録可能なデータ記録媒体から識別情報を読み出して通信網を介して送信する情報端末装置と、情報端末装置から送信された識別情報を受信し、受信された識別情報によって、所定のデータのダウンロードを可能とするか否かを判断し、判断の結果に応じて、所定のデータのダウンロードを通信網を介して情報端末装置に対して提供するサーバ装置とを有することを特徴とする情報サービス装置である。
【００１６】
また、この発明は、ユニークな識別情報が記録されてなる記録可能なデータ記録媒体から識別情報を読み出して通信網を介して送信する情報端末装置から送信された識別情報を受信し、受信された識別情報によって、所定のデータのコピーまたはムーブを可能とするか否かを判断し、判断の結果に応じて、所定のデータのコピーまたはムーブを可能とするデータを通信網を介して情報端末装置に対して提供することを特徴とする情報サービス方法である。
【００１７】
また、この発明は、ユニークな識別情報が記録されてなる記録可能なデータ記録媒体から識別情報を読み出して通信網を介して送信する情報端末装置と、情報端末装置から送信された識別情報を受信し、受信された識別情報によって、所定のデータのコピーまたはムーブを可能とするか否かを判断し、判断の結果に応じて、所定のデータのコピーまたはムーブを可能とするデータを通信網を介して情報端末装置に対して提供するサーバ装置とを有することを特徴とする情報サービス方法である。
【００１８】
上述したように、請求項１に記載の発明は、ユニークな識別情報が記録されてなる記録可能なデータ記録媒体であって、識別情報により所定のデータが記録可能か否かを識別されてなるため、識別情報に基づきデータ記録媒体に記録されるデータを制御することができる。
【００１９】
また、請求項７に記載の発明は、ユニークな識別情報が記録されてなる記録可能なデータ記録媒体に対して所定のデータが記録可能か否かを識別情報により識別するため、識別情報に基づきデータ記録媒体に記録されるデータを制御することができる。
【００２０】
また、請求項１３に記載の発明は、ユニークな識別情報が記録されてなる記録可能なデータ記録媒体から識別情報を読み取り、読み取られた識別情報により所定のデータが記録可能か否かを識別された結果に基づきデータ記録媒体にデータを記録するようにしているため、識別情報に基づきデータ記録媒体に記録されるデータが制御される。
【００２１】
また、請求項１９または２１に記載の発明は、ユニークな識別情報が記録されてなる記録可能なデータ記録媒体から識別情報を読み出して通信網を介して送信する情報端末装置から送信された識別情報を受信し、受信された識別情報によって、所定のデータのダウンロードを可能とするか否かを判断し、判断の結果に応じて、所定のデータのダウンロードを通信網を介して情報端末装置に対して提供するようにしているため、所定のデータのダウンロードを、データ記録媒体に記録された識別情報に基づき提供することができる。
【００２２】
また、請求項２３または２５に記載の発明は、ユニークな識別情報が記録されてなる記録可能なデータ記録媒体から識別情報を読み出して通信網を介して送信する情報端末装置から送信された識別情報を受信し、受信された識別情報によって、所定のデータのコピーまたはムーブを可能とするか否かを判断し、判断の結果に応じて、所定のデータのコピーまたはムーブを可能とするデータを通信網を介して情報端末装置に対して提供するようにしているため、所定のデータのコピーまたはムーブを、データ記録媒体に記録された識別情報に基づき制御することができる。
【００２３】
【発明の実施の形態】
以下、この発明の実施の第１の形態について説明する。この発明の実施の第１の形態では、一般のユーザがデータを記録可能なデータ記録媒体に、個々のデータ記録媒体を識別するための識別情報を予め記録し、記録されたこの識別情報を用いてユーザにサービスを提供するようにしている。
【００２４】
なお、以下では、個々のデータ記録媒体を識別するための識別情報をＵＩＤ（Ｕｎｉｑｕｅ　Ｉｄｅｎｔｉｆｉｅｒ）と称する。ＵＩＤは、データ記録媒体毎にユニークなものであることが望ましい。実用上では、ＵＩＤは、データ記録媒体のメーカ内や、データ記録媒体の型番内でユニークなものでも、差し支えないと考えられる。また、ＵＩＤは、データ記録媒体上の、一般ユーザが書き込み不可能な領域に記録されるのが望ましい。
【００２５】
ユーザによるデータの記録が可能なデータ記録媒体は、ライトワンス型のＣＤ−Ｒ（Ｃｏｍｐａｃｔ　Ｄｉｓｃ−Ｒｅｃｏｒｄａｂｌｅ）、データの書き換えが可能なＣＤ−ＲＷ（Ｃｏｍｐａｃｔ　Ｄｉｓｃ−ＲｅＷｒｉｔａｂｌｅ）といった光ディスク記録媒体の他にも、ハードディスクドライブや半導体メモリなど、様々に考えられる。以下の説明では、ユーザによるデータの記録が可能なデータ記録媒体を、ＣＤ−Ｒであるとして説明する。
【００２６】
図１は、ＣＤ−Ｒのデータレイアウトを概略的に示す。ＣＤ−Ｒ１は、内周側からアクセスされ、内周側からリードインエリア、プログラム（データ）エリア、リードアウトエリアの順にデータ領域が配列される。リードインエリア、プログラムエリア、リードアウトエリアの組み合わせでセッションが構成される。リードインエリアには、このＣＤ−Ｒの記録内容を示す情報が格納されるＴＯＣ（Ｔａｂｌｅ　Ｏｆ　Ｃｏｎｔｅｎｔｓ）が記録される。
【００２７】
この、リードインエリア、プログラムエリアおよびリードアウトエリアからなる配置は、ユーザによる記録が不可である一般のＣＤ、例えばＣＤ−ＤＡ（Ｃｏｍｐａｃｔ　Ｄｉｓｃ−Ｄｉｇｉｔａｌ　Ａｕｄｉｏ）やＣＤ−ＲＯＭ（Ｃｏｍｐａｃｔ　Ｄｉｓｃ−Ｒｅａｄ　Ｏｎｌｙ　Ｍｅｍｏｒｙ）と共通である。
【００２８】
ＣＤ−Ｒに特有な構造として、上述のリードインエリア、プログラムエリアおよびリードアウトエリアの存在の他に、記録不可である一般のＣＤ（Ｃｏｍｐａｃｔ　Ｄｉｓｃ）においてデータが記録されている領域よりもさらに内側に、ＰＣＡ（Ｐｏｗｅｒ　Ｃａｌｉｂｒａｔｉｏｎ　Ａｒｅａ）およびＰＭＡ（Ｐｒｏｇｒａｍ　Ｍｅｍｏｒｙ　Ａｒｅａ）の２つの領域が設けられている。ＰＣＡは、図１では省略されているが、データをＣＤ−Ｒに書き込むときのレーザの強さを調整するために試し書きを行う領域である。ＰＭＡは、後述するトラックアットワンスなどでデータを書き込む際に、書き込まれたトラックの先頭と末尾のアドレス情報などを書き込む領域である。
【００２９】
また、ＣＤ−Ｒには、記録時のガイド用の溝であるプリグルーブが設けられる。プリグルーブは、僅かに蛇行（ウォブル）しており、記録時のアドレス情報が含まれる。これは、ＡＴＩＰ（Ａｂｓｏｌｕｔｅ　Ｔｉｍｅ　Ｉｎ　Ｐｒｅｇｒｏｏｖｅ）と称される。
【００３０】
ＣＤ−Ｒにデータを書き込む際の記録方法としては、リードイン、データ、リードアウトまでをディスクに一筆書きの要領で書き込んでしまうディスクアットワンス（Ｄｉｓｋ　Ａｔ　Ｏｎｃｅ）と、データを１トラックずつディスクに書き込んでいくトラックアットワンス（Ｔｒａｃｋ　Ａｔ　Ｏｎｃｅ）の２つが代表的である。トラックアットワンスでは、リードアウトおよびリードインがデータの記録後に書き込まれるので、リードアウトおよびリードインを書き込んでセッションを閉じるまでは、トラックの追記を行うことができる。
【００３１】
トラックアットワンスにおける書き込みは、概略的には次のようにしてなされる。１番目のトラックのデータの書き込みが終了されると、ＡＴＩＰ情報に基づき、取得された記録開始および終了時間がトラック番号ＴＮＯと共にＰＭＡに書き込まれる。１番目のトラックの次に２番目のトラックが書き込まれた際にも、同様にして記録開始および終了時間がトラック番号ＴＮＯと共にＰＭＡに書き込まれる。このようにして全てのトラックの書き込みが終了したら、リードアウトが書き込まれ、続けて、ＰＭＡに書き込まれた情報に基づきＴＯＣ情報が作成され、リードインが書き込まれる。トラックアットワンスにおいて、リードアウトを書き込むと共に、ＰＭＡの情報に基づきＴＯＣ情報を作成しリードインを書き込む処理を、ファイナライズと称する。
【００３２】
この発明では、例えばＰＭＡに対して上述したＵＩＤを記録する。ＰＭＡは、一般ユーザによる任意のアクセスが行えないので、ＵＩＤが記録される領域として適当である。このＵＩＤのＰＭＡへの記録は、例えば当該ＣＤ−Ｒ１の工場出荷時に行われる。ＵＩＤを製造者側が管理したい場合には、ＵＩＤは、例えば、メーカ名、製造所（工場）名および製造年月日をそれぞれ示すコード、ならびに、シリアルナンバーと、これらのデータに対するＣＲＣ（ｃｙｃｌｉｃ　ｒｅｄｕｎｄａｎｃｙ　ｃｈｅｃｋ）などの検証データからなる。これに限らず、ＵＩＤは、単にシリアルナンバーとしてもよい。
【００３３】
図２は、この発明に適用可能な一例のシステム構成を示す。情報端末装置１０は、例えばパーソナルコンピュータなどのコンピュータ機器であって、ＣＤ−Ｒ１に対してデータの書き込みが可能なドライブ装置を有している。情報端末装置１０は、例えば、ＡＤＳＬ（Ａｓｙｍｍｅｔｒｉｃ　Ｄｉｇｉｔａｌ　Ｓｕｂｓｃｒｉｂｅｒ　Ｌｉｎｅ）やＩＳＤＮ（Ｉｎｔｅｇｒａｔｅｄ　Ｓｅｒｖｉｃｅｓ　Ｄｉｇｉｔａｌ　Ｎｅｔｗｏｒｋ）といった、公衆電話回線を用いた通信方式で以てインターネット１１に接続される。管理サーバ１２は、例えばＵＩＤのデータベースを有し、このシステムにおいてＵＩＤによるサービスをユーザに提供する。管理サーバ１２は、例えば専用通信回線でインターネット１１に接続される。
【００３４】
なお、情報端末装置１０は、上述の例に限らず、インターネット１１にアクセス可能で、ＣＤ−Ｒ１にデータを記録することができれば、他の情報機器でもよい。また、情報端末装置１０および管理サーバ１２の構成は、一般的なコンピュータ装置と略同様であって周知であるので、説明を省略する。
【００３５】
図２のシステムにおける、この発明の実施の第１の形態による動作を概略的に説明する。情報端末装置１０のドライブ装置にＣＤ−Ｒ１が装填され、ＣＤ−Ｒ１から、ＰＭＡに記録されたＵＩＤが読み出される。読み出されたＵＩＤは、情報端末装置１０からインターネット１１を介して管理サーバ１２に送信される。管理サーバ１２では、このＵＩＤに基づき情報端末装置１０に対してサービスを提供することができる。
【００３６】
例えば、管理サーバ１２は、音楽データや映像データ、文書データ、プログラムデータといったコンテンツデータを蓄積しており、情報端末装置１０から送信されたＵＩＤが管理サーバ１２に認証されると、管理サーバ１２に蓄積されているコンテンツデータの情報端末装置１０によるダウンロードが許可される。管理サーバ１２から情報端末装置１０にダウンロードされたコンテンツデータは、情報端末装置１０に装填されている、管理サーバ１２に認証されたＵＩＤを有するＣＤ−Ｒ１に記録される。
【００３７】
図３は、この発明の実施の第１の形態において、情報端末装置１０と管理サーバ１２との間でなされるデータ処理の一例の手順を示す。図３に示される処理に先立って、ＣＤ−Ｒ１が情報端末装置１０に装填されＵＩＤが読み出されると共に、この実施の第１の形態によるサービスを提供するためのメニュープログラムが起動され、情報端末装置１０の表示手段にメニュー画面が表示される。
【００３８】
情報端末装置１０側で、ディスク（ＣＤ−Ｒ１）が再生され、ユーザにより、上述のメニュープログラムから管理サーバ１２がアクセスされる（ステップＳ１０）。すると、情報管理端末１０から管理サーバ１２に、インターネット１１を介してユーザ情報が送信される（ＳＥＱ１０）。
【００３９】
ユーザ情報が管理サーバ１２に受信されると、管理サーバ１２において、受信されたユーザ情報に基づきユーザ認証が行われる（ステップＳ２０）。ユーザ認証は、例えば次のようにしてなされる。サービスを受けようとするユーザは、管理サーバ１２に対して予めユーザ情報を登録する。管理サーバ１２で、ＳＥＱ１０で情報端末装置１０から送信されたユーザ情報と管理サーバ１２に予め登録されているユーザ情報とを照合することで、ユーザ認証がなされる。
【００４０】
ステップＳ２０では、さらに、ダウンロード項目を示すダウンロード（ＤＬ）メニューが管理サーバ１２から、ユーザ認証が行われた情報端末装置１０に送信される（ＳＥＱ１１）。ダウンロードメニューは、例えば、認証されたユーザがダウンロード可能なコンテンツのリストである。
【００４１】
情報端末装置１０にダウンロードメニューが受信されると、ステップＳ１１で、情報端末装置１０の表示装置に対してダウンロードメニューが表示される。ユーザにより、表示されたダウンロードメニューに基づきダウンロードしたいコンテンツが選択されると、情報端末装置１０に装填されているＣＤ−Ｒ１から読み出されたＵＩＤと、選択されたコンテンツを示す情報とが管理サーバ１２に対して送信され（ＳＥＱ１２）、情報端末装置１０から管理サーバ１２に、選択されたコンテンツのダウンロードが要求される。
【００４２】
管理サーバ１２では、ＳＥＱ１２で送信されたＵＩＤが受信されると、管理サーバ１２が有するＵＩＤのデータベースが参照されてＵＩＤの認証が行われる（ステップＳ２１）。認証の結果に基づき、ステップＳ２２およびＳＥＱ１３で、ダウンロードデータ若しくはダウンロード不可通知が管理サーバ１２から情報端末装置１０に対して送信される。
【００４３】
例えば、認証の結果、ＵＩＤが正当であると判断されれば、ステップＳ２２およびＳＥＱ１３で、管理サーバ１２から情報端末装置１０に対して、ダウンロードを要求されたコンテンツがダウンロードデータとして送信される。一方、認証の結果、ＵＩＤが正当でないと判断されれば、ステップＳ２２およびＳＥＱ１３では、管理サーバ１２から情報端末装置１０に対して、要求されたコンテンツのダウンロードができないことを示すダウンロード不可通知が送信される。
【００４４】
ＳＥＱ１３で管理サーバ１２からダウンロードデータが送信された場合、ステップＳ１２で、このダウンロードデータが情報端末装置１０に受信され、情報端末装置１０に装填されたＣＤ−Ｒ１に記録される。
【００４５】
一方、ＳＥＱ１３で管理サーバ１２からダウンロード不可通知が送信された場合、ステップＳ１２で、このダウンロード不可通知が情報端末装置１０に受信され、情報端末装置１０が有する表示手段に対して、要求されたコンテンツのダウンロードができない旨が表示される。
【００４６】
メニュープログラムは、例えば、情報端末装置１０が有する記憶媒体に予め記憶されており、ＣＤ−Ｒ１が情報端末装置１０に装填されると自動的に起動される。また、これに限らず、メニュープログラムは、ユーザの情報端末装置１０に対する操作に応じて起動されるようにもできる。
【００４７】
さらに、メニュープログラムをＣＤ−Ｒ１に予め記録しておくこともできる。この場合には、ＣＤ−Ｒ１を、内周が記録済みのＣＤ−ＲＯＭ部とされ、外周が未記録の書き込み可能のＣＤ−Ｒ部とされたハイブリッドディスクとし、ＣＤ−ＲＯＭ部にメニュープログラムを記録しておく。このとき、ＣＤ−Ｒ１がドライブ装置に装填された際に、メニュープログラムが自動的に起動されるように設定しておくと、より好ましい。
【００４８】
上述の、情報端末装置１０にＣＤ−Ｒ１を装填した際の動作としては、上述したメニュープログラムを起動させてからＣＤ−Ｒ１を装填し、ＵＩＤの有無を判断する第１の方法と、ＣＤ−Ｒ１を装填してＵＩＤの有無を判断してから、メニュープログラムを起動する第２の方法とが考えられる。
【００４９】
図４は、第１の方法による一例の処理を示す。ステップＳ３０において情報端末装置１０上でメニュープログラムが起動された後に、ステップＳ３１で、光ディスクが情報端末装置１０のディスクドライブに装填される。ディスクが装填されると、次のステップＳ３２で、メニュープログラムによりディスクの例えばＰＭＡに対応する領域がアクセスされ、ＵＩＤが記録されているか否かが判断される。若し、ＵＩＤが記録されていると判断されれば、処理はステップＳ３３に移行され、例えば上述の図３を用いて説明したような、以降の処理が開始される。一方、ステップＳ３２で、装填された光ディスクにＵＩＤが記録されていないと判断されれば、処理はステップＳ３４に移行され、例えば装填されたディスクが排出されるように、メニュープログラムによりディスクドライブが制御される。
【００５０】
図５は、第２の方法による一例の処理を示す。先ず、ステップＳ４０で光ディスクが情報端末装置１０のディスクドライブに装填される。ディスクが装填されると、例えば情報端末装置１０のＯＳ（Ｏｐｅｒａｔｉｎｇ　Ｓｙｓｔｅｍ）によりディスクの例えばＰＭＡに対応する領域がアクセスされ、ＵＩＤが記録されているか否かが判断される（ステップＳ４１）。若し、ＵＩＤが記録されていると判断されれば、処理はステップＳ４２に移行され、ＯＳにより上述したメニュープログラムが起動され、上述の図３を用いて説明したような、以降の処理が開始可能とされる。ＵＩＤが記録されていないと判断されれば、処理はステップＳ４３に移行され、メニュープログラムは、起動されない。
【００５１】
なお、ステップＳ４１で、装填された光ディスクにＵＩＤが記録されていると判断された場合に、ステップＳ４２において、手動でメニュープログラムを起動可能とすることができる。この場合、光ディスクにＵＩＤが記録されていないときには、ステップＳ４３では、メニュープログラムが起動できないようにされる。
【００５２】
なお、上述したような、ＣＤ−Ｒ１に予めメニュープログラムが記録されている場合には、当該ディスクにＵＩＤが記録されていることが既知であるため、ＵＩＤの存在の有無のチェックは、必ずしも必要ではない。
【００５３】
図６は、この発明の実施の第１の形態に適用可能なデータ記録／再生装置の一例の構成を示す。このデータ記録／再生装置１００は、例えば上述の情報端末装置１０に組み込まれて用いられる。このデータ記録／再生装置１００の全体は、ＣＰＵ（Ｃｅｎｔｒａｌ　Ｐｒｏｃｅｓｓｉｎｇ　Ｕｎｉｔ）４０により制御される。図示しないが、ＣＰＵ４０は、ワークメモリとしてのＲＡＭや、ファームウェアなどのプログラムが予め記録されたＲＯＭを有し、ＲＯＭに記録されたプログラムに従い装置の制御を行う。また、ＣＰＵ４０は、情報端末装置１０の本体とのインターフェイスを有し、情報端末装置１０からの操作によりこのデータ記録／再生装置１００を制御することができるようになっている。
【００５４】
光学系ＯＰ２０は、ＣＤ−Ｒ１に対して記録／再生を行うための光学ピックアップ部、光学ピックアップのパワー制御やフォーカス制御を行う制御回路、光学ピックアップの位置制御を行うスレッドモータドライブとその制御回路などを含む。図示しないが、光学ピックアップ部は、対物レンズと、レーザ光源と、装填されたディスクから反射されたレーザ光を受光する受光部とを備える光学ブロックと、供給された信号を変調しレーザ光源を駆動するレーザドライバと、受光部に受光されたレーザ光を電気信号に変換する変換部とを有する。
【００５５】
モータＭ３４は、データ記録／再生装置に装填されたディスクを回転駆動するスピンドルモータである。これら光学系ＯＰ２０およびモータ３４は、サーボ回路３５により所定に制御される。また、サーボ回路３５は、ＣＰＵ４０により制御される。
【００５６】
再生系において、サーボ回路３５の制御によりＣＤ−Ｒ１がＣＬＶ制御により回転駆動される。光学系ＯＰ２０においてレーザ光源のレーザ出力が再生に適する強さに制御され、ＣＤ−Ｒ１に対してレーザ光が照射される。このレーザ光がＣＤ−Ｒ１で反射された反射光が受光部に受光され、電気信号に変換される。電気信号に変換された再生信号は、光学系ＯＰ２０から出力され、ＲＦ部３０に供給される。再生信号は、ＲＦ部３０により、波形整形処理などの所定の信号処理を施され、再生ディジタル信号とされる。
【００５７】
なお、ＲＦ部３０は、さらに、光学系ＯＰ２０から出力された再生信号のバイフェイズ変調およびＦＭを復調し、ＡＴＩＰを取り出してサーボ回路３５に供給する。
【００５８】
ＲＦ部３０から出力された再生ディジタル信号は、ＥＦＭ復調回路３１に供給されて記録時に施されたＥＦＭが復調され、再生ディジタルデータとされる。この再生ディジタルデータは、ＣＩＲＣエラー訂正回路３２に供給されると共に、ＰＭＡ読み出し回路３６に供給される。ＣＩＲＣエラー訂正回路３２では、供給された再生ディジタルデータに対してＣＩＲＣ（Ｃｒｏｓｓ　Ｉｎｔｅｒｌｅａｖｅ　Ｒｅｅｄ−ＳｏｌｏｍｏｎＣｏｄｅ）方式によるエラー訂正符号が復号化され、エラー訂正される。ＣＩＲＣエラー訂正回路３２から出力された再生データは、ＣＤ−ＲＯＭデコーダ３３に供給され、ＣＤ−ＲＯＭ用に施されたエラー訂正符号が復号化されて、さらにエラー訂正される。
【００５９】
一方、ＰＭＡ読み出し回路３６では、光学系ＯＰ２０においてＣＤ−Ｒ１のＰＭＡがアクセスされたときに、供給された再生ディジタルデータからＰＭＡのデータを読み出す。読み出されたＰＭＡデータがＵＩＤ読み出し回路３７に供給される。ＵＩＤ読み出し回路３７では、供給されたＰＭＡからＣＰＵ４０の制御によりＵＩＤが抽出される。抽出されたＵＩＤは、ＣＰＵ４０の制御に基づき、ＵＩＤ送信／ＤＬデータ受信回路２５に供給されインターネット１１を介して管理サーバ１２に送信される。
【００６０】
なお、上述の図３のＳＥＱ１２で示したコンテンツの選択情報は、例えば、情報端末装置１０本体からＣＰＵ４０に渡され、ＣＰＵ４０からＵＩＤ送信／ＤＬデータ受信回路２５に供給される。選択情報は、ＵＩＤ読み出し回路３７から供給されたＵＩＤと共に、ＵＩＤ送信／ＤＬデータ受信回路２５からインターネット１１を介して管理サーバ１２に対して送信される。
【００６１】
図３を用いて既に説明したように、管理サーバ１２では、受信されたＵＩＤの認証が行われる。若し、ＵＩＤが正当であると判断されれば、ＵＩＤと共に受信された選択情報に示されるコンテンツデータが、管理サーバ１２から情報端末装置１０に対して、インターネット１１を介して、ダウンロード（ＤＬ）データとして送信される。一方、ＵＩＤが正当なものではないと判断されれば、管理サーバ１２から、ダウンロード不可通知が送信される。
【００６２】
ダウンロードデータまたはダウンロード不可通知は、ＵＩＤ送信／ＤＬデータ受信回路２５に受信される。受信されたダウンロードデータは、ＣＤ−ＲＯＭエンコーダ２４に供給される。受信されたダウンロード不可通知は、例えばＣＰＵ４０に供給され、情報端末装置１０の本体に渡され、情報端末装置１０が有する表示手段にコンテンツのダウンロードが不可である旨を示す表示がなされる。
【００６３】
記録系において、ダウンロードデータは、ＣＤ−ＲＯＭエンコーダ２４で、ＣＤ−ＲＯＭ用にＥＣＣ（Ｅｒｒｏｒ　Ｃｏｒｒｅｃｔｉｎｇ　Ｃｏｄｅ）およびＥＤＣ（Ｅｒｒｏｒ　Ｄｅｔｅｃｔｉｎｇ　Ｃｏｄｅ）を用いてエラー訂正符号化される。ＣＤ−ＲＯＭエンコーダ２４から出力された記録データは、ＣＩＲＣエンコーダ２３に供給されてＣＩＲＣ方式によりエラー訂正符号化され、ＥＦＭ回路２２に供給される。記録データは、ＥＦＭ回路２２でＥＦＭが施され、８ビットデータが１４ビットデータに変換されて出力される。ＥＦＭ回路２２から出力された記録データは、記録回路２１に供給され、記録符号化される。記録符号化された記録信号は、光学系ＯＰ２０に供給される。
【００６４】
光学系ＯＰ２０では、レーザ光源のレーザ出力が記録に適する強さに制御され、記録回路２１から供給された記録信号に基づきレーザ光源が変調駆動され、変調されたレーザ光がＣＤ−Ｒ１の記録層に照射される。ＣＤ−Ｒ１では、照射されたレーザ光により所定にピットが形成され、記録信号が記録される。
【００６５】
記録信号の記録に際して、適正な記録を行うために、ＰＣＡに対してレーザ出力を変化させながら試験的な記録が行われ、この結果に基づき最適なレーザ出力が得られるように調整される。その後、プログラムエリアにデータが記録される。１番目のトラックのデータのプログラムエリアへの書き込みが終了されると、記録開始時間と終了時間とがＡＴＩＰから読み取られ、読み取られた値がデータ書き込みの終了時にＰＭＡに書き込まれる。２番目以降のトラックの書き込みも、同様にしてなされる。
【００６６】
全てのトラックの書き込みが終了した後に、ファイナライズ処理が行われる。すなわち、プログラムエリアの外縁からリードアウトが書き込まれ、ＰＭＡに書き込まれた情報に基づきＴＯＣ情報が作成され、プログラムエリアの内周に位置するリードイン領域に書き込まれる。すなわち、当初ＰＭＡに記録されていたＵＩＤも、リードイン領域に書き込まれることになる。このようにして、ＣＤ−Ｒ１によるイエローブックに準拠したディスクが完成される。
【００６７】
なお、管理サーバ１２において、情報端末装置１０から送信されたＵＩＤを、当該ＵＩＤに基づき要求されたダウンロードデータと共に情報端末装置１０に送信することができる。情報端末装置１０側で、受信されたダウンロードデータを記録する際に、当該記録を行う記録媒体のＵＩＤを再度読み出して、ダウンロードデータと共に受信されたＵＩＤと照合し、両者が一致しない場合や記録媒体からＵＩＤが読み出せなかった場合に、ダウンロードデータの記録を不可とするように制御することが可能である。
【００６８】
また、管理サーバ１２において、同一ＵＩＤによるアクセス履歴を管理することができる。これにより、例えば、あるＵＩＤにより管理サーバ１２にアクセスしたときには、特別なサービスが受けられ、同一のＵＩＤによる２度目以降のアクセスでは、当該サービスが受けられないように制御することができる。
【００６９】
さらに、管理サーバ１２において、アクセスされたＵＩＤや当該ＵＩＤによりダウンロードされたコンテンツ情報を解析することで、マーケティングを行うことができる。
【００７０】
さらにまた、上述では、情報端末装置１０からＵＩＤが送信された際に、コンテンツをダウンロードデータとして、管理サーバ１２から情報端末装置１０に対して送信するように説明したが、これはこの例に限られない。例えば、情報端末装置１０から送信されたＵＩＤに対応して、暗号化されたコンテンツを復号化する際のキー情報や、インターネット１１上の特定のサイトにアクセスする際のパスワード情報などを、管理サーバ１２から情報端末装置１０に対して送信するようにしてもよい。
【００７１】
また、ＵＩＤを籤のように用いることも可能である。例えば、ＵＩＤがシリアルナンバーであった場合、末尾の数字によりコンテンツのダウンロードの可否やダウンロード可能なコンテンツ数を制御することが可能である。
【００７２】
さらに、ＵＩＤが記録されたＣＤ−Ｒ１をプリペイド媒体として利用することができる。例えば、ＵＩＤが記録されたＣＤ−Ｒを、ＵＩＤが記録されていないＣＤ−Ｒよりも高額で販売する。その上で、ＵＩＤを用いて上述したようなダウンロードサービスなどを行う。ＵＩＤが記録されたＣＤ−ＲとそうでないＣＤ−Ｒとの価格差を、例えばコンテンツ提供元に還元することで、コンテンツ提供元は、コンテンツの使用料などを受け取ることができる。
【００７３】
次に、この発明の実施の第２の形態について説明する。この発明の実施の第２の形態では、ＵＩＤを用いて、当該ＵＩＤが記録された、ユーザによる記録が可能な記録媒体に対するデータのコピーやムーブを制御する。
【００７４】
なお、ここで、コピーとは、第１のデータ記録媒体に記録された、著作権が存在するデータが、第２のデータ記録媒体に対して略同一に複製されることをいう。コピーの場合には、複製元のデータが消去されずに残され、複製先のデータおよび複製元のデータは、何れも再生可能な状態とされる。また、ムーブとは、第１のデータ記録媒体に記録された、著作権が存在するデータが、第２のデータ記録媒体に対して略同一に複製され、その際に、複製元のデータが再生不可の状態にされることをいう。
【００７５】
以下の説明において、上述の実施の第１の形態と同様に、ユーザによる記録が可能な記録媒体がＣＤ−Ｒであるものとし、そのデータレイアウトは、図１と同一であるとする。同様にして、上述の実施の第１の形態と共通する部分は、繁雑さを避けるために、適宜、説明を省略する。
【００７６】
この発明の実施の第２の形態も、図２を用いて説明したシステム構成を適用することができる。図２を参照しながら、この発明の実施の第２の形態による動作を概略的に説明する。情報端末装置１０のデータ記録・再生装置にＣＤ−Ｒ１が装填される。このＣＤ−Ｒ１に対して、著作権が存在する、あるコンテンツデータを記録することで、コンテンツをコピーする場合について考える。例えば、市販のＣＤ−ＤＡに記録された音楽コンテンツを、情報端末装置１０が有する、または、情報端末装置１０に接続された他のデータ再生装置から読み出し、ＣＤ−Ｒ１に記録することで、音楽コンテンツのコピーを行う。
【００７７】
情報端末装置１０のデータ記録／再生装置にＣＤ−Ｒ１が装填されると共に、情報端末装置１０が有する他のデータ再生装置にＣＤ−ＤＡが装填される。ユーザにより、情報端末装置１０に対してＣＤ−ＤＡに記録されたコンテンツデータをＣＤ−Ｒ１に対してコピーするように指示が出されると、ＣＤ−Ｒ１からＵＩＤが読み出され、インターネット１１を介して管理サーバ１２に送信される。管理サーバ１２において、送信されたＵＩＤが正当なものであると判断されれば、その旨がインターネット１１を介して情報端末装置１０に通知され、情報端末装置１０において、ＣＤ−ＤＡに記録されたコンテンツデータが再生されてＣＤ−Ｒ１に記録され、コンテンツデータのコピーが実行される。
【００７８】
図７は、この発明の実施の第２の形態によるコンテンツのコピーおよび／またはムーブ制御を行う場合の、情報端末装置１０と管理サーバ１２との間でなされるデータ処理の一例の手順を示す。図３に示される処理に先立って、ＣＤ−Ｒ１が情報端末装置１０に装填されＵＩＤが読み出されると共に、この実施の第２の形態によるサービスを提供するためのメニュープログラムが起動され、情報端末装置１０の表示手段にメニュー画面が表示される。
【００７９】
メニュープログラムは、例えば、情報端末装置１０が有する、ＣＤ−Ｒ１に記録可能なデータ記録／再生装置（後述する）を制御し、他の記録媒体に記録されたデータのコピーやムーブの要求に基づくＣＤ−Ｒ１へのデータの記録を制限することができるようになっている。
【００８０】
コピーしたいコンテンツが記録された記録媒体、例えばＣＤ−ＤＡが、情報端末装置１０が有する図示されないデータ再生装置に装填される。そして、ユーザにより、メニュープログラムを用いて、ＣＤ−ＤＡに記録されたコンテンツをＣＤ−Ｒ１に記録しコピーするような指示が出される。
【００８１】
情報端末装置１０側で、ディスク（ＣＤ−Ｒ１）が再生され、ユーザにより、上述のメニュープログラムを用いて管理サーバ１２がアクセスされる（ステップＳ４０）。すると、情報管理端末１０から管理サーバ１２に、インターネット１１を介してユーザ情報が送信される（ＳＥＱ２０）。
【００８２】
ユーザ情報が管理サーバ１２に受信されると、管理サーバ１２において、受信されたユーザ情報に基づきユーザ認証が行われる（ステップＳ５０）。ユーザ認証は、例えば次のようにしてなされる。サービスを受けようとするユーザは、管理サーバ１２に対して予めユーザ情報を登録する。管理サーバ１２で、ＳＥＱ２０で情報端末装置１０から送信されたユーザ情報と管理サーバ１２に予め登録されているユーザ情報とを照合することで、ユーザ認証がなされる。
【００８３】
ユーザ登録は、例えば、ユーザが情報端末装置１０を用いてユーザ情報など、必要な情報を入力し、入力された情報をインターネット１１を介して管理サーバ１２に送信することでなされる。
【００８４】
ステップＳ５０では、さらに、ユーザに対して提供可能なサービス項目を示すサービスメニューが管理サーバ１２から、ユーザ認証が行われた情報端末装置１０に送信される（ＳＥＱ２１）。サービスメニューは、例えば、コンテンツのコピーやムーブなど、認証されたユーザが実行可能な操作のリストである。
【００８５】
情報端末装置１０にサービスメニューが受信されると、ステップＳ４１で、情報端末装置１０の表示装置に対してサービスメニューが表示される。ユーザにより、表示されたサービスメニューに基づき実行したい操作が選択されると、情報端末装置１０に装填されているＣＤ−Ｒ１から読み出されたＵＩＤと、選択された操作を示す情報とが管理サーバ１２に対して送信され（ＳＥＱ２２）、情報端末装置１０から管理サーバ１２に、選択された操作を実行可能とするように要求される。
【００８６】
管理サーバ１２では、ＳＥＱ２２で送信されたＵＩＤが受信されると、管理サーバ１２が有するＵＩＤのデータベースが参照されてＵＩＤの認証が行われる（ステップＳ５１）。認証の結果に基づき、ステップＳ５２で、コンテンツのコピーの可否またはコンテンツのムーブの可否を示す情報が管理サーバ１２から送信され、ＳＥＱ２３で、コンテンツのコピーまたはムーブの可否が情報端末装置１０に通知される。
【００８７】
ＳＥＱ２３で管理サーバ１２によりコンテンツのコピーを許可する旨が通知された場合、ステップＳ４２で、情報端末装置１０において、ＣＤ−ＤＡに記録されたコンテンツが再生され、再生されたコンテンツがＣＤ−Ｒ１に記録され、コンテンツのＣＤ−Ｒ１に対するコピーが実行される。
【００８８】
一方、ＳＥＱ２３で管理サーバ１２によりコンテンツのコピーを許可しない旨が通知された場合、ステップＳ４２では、例えばコンテンツのコピーを許可しない旨が情報端末装置１０の表示手段に表示され、ＣＤ−ＤＡに記録されたコンテンツのＣＤ−Ｒ１への記録は、実行されない。
【００８９】
上述では、管理サーバ１２に対するユーザ登録を、ユーザにより情報端末装置１０に対して入力されたユーザ情報に基づき行うようにしているが、これは、この例に限定されない。例えば、ＣＤ−ＤＡといった、著作権が存在するコンテンツを販売店などでユーザが購入する際に、購入されたコンテンツを示すコンテンツ情報とユーザ情報とを販売店から管理サーバ１２に送信することで、ユーザ登録を行ってもよい。ユーザ情報は、当該コンテンツ情報と関連付けられて、管理サーバ１２に管理される。
【００９０】
この方法では、ユーザに対するサービスを、コンテンツ毎に制御することができる。例えば、ユーザに対して、同一コンテンツについてのコピー可能回数を設定することができる。
【００９１】
このような、コンテンツに関連付けられたユーザ登録を行う場合、上述したステップＳ４０で、情報端末装置１０のドライブに装填されたＣＤ−ＤＡの情報が管理サーバ１２に送信される必要がある。例えば、ＣＤ−ＤＡがデータ再生装置に装填されたときにＣＤ−ＤＡから読み出されたＴＯＣ情報が、情報端末装置１０から管理サーバ１２に対して送信される。管理サーバ１２では、このＴＯＣ情報に基づきＣＤ−ＤＡおよびコンテンツを特定できる。
【００９２】
上述の実施の第１の形態と同様に、メニュープログラムは、情報端末装置１０が有する記憶媒体に予め記憶させ、ＣＤ−Ｒ１が情報端末装置１０に装填されると自動的に起動されるようにできるし、ユーザの情報端末装置１０に対する操作に応じて起動されるようにもできる。また、ＣＤ−Ｒ１をハイブリッドディスクとして、ハイブリッドディスクのＣＤ−ＲＯＭ部にメニュープログラムを記録しておくこともできる。
【００９３】
図８は、この発明の実施の第２の形態に適用可能なデータ記録／再生装置１０１の一例の構成を示す。このデータ記録／再生装置１０１は、上述の図６に示されるデータ記録／再生装置１００と同様に、情報端末装置１０に組み込まれて用いられる。なお、図８において、上述した図６と共通する部分には同一の符号を付し、詳細な説明を省略する。
【００９４】
ＣＤ−Ｒ１に記録するためのコンテンツデータは、端子５１から入力され、スイッチ回路５０を介してＣＤ−ＲＯＭエンコーダ２４に供給される。スイッチ回路５０は、ＵＩＤ送信／コピー・ムーブ可否受信回路５２から供給される制御信号に基づき、オン／オフを制御される。この制御信号は、管理サーバ１２から情報端末装置１０に対して送信された、コンテンツのコピーまたはムーブの可否を示す情報に応じた制御信号に応じて出力される。
【００９５】
ＣＤ−Ｒ１が情報端末装置１０に装填されると共に、コンテンツの複写を行いたいＣＤ−ＤＡが情報端末装置１０が有する他のドライブ装置に装填される。メニュープログラムが起動され表示されたサービスメニューに従い、ユーザにより、コンテンツの複写が情報端末装置１０に対して要求される。この要求がＣＰＵ４０に渡され、ＣＰＵ４０の制御により、ＣＤ−Ｒ１のＰＭＡがアクセスされる。
【００９６】
ＣＤ−Ｒ１より読み出されたデータからＰＭＡ読み出し回路３６によりＰＭＡのデータが読み出され、ＵＩＤ読み出し回路３７によりＰＭＡのデータからＵＩＤが抽出される。抽出されたＵＩＤは、ＵＩＤ送信／コピー・ムーブ可否受信回路５２に供給され、ユーザ情報と共に、インターネット１１を介して管理サーバ１２に送信される。管理サーバ１２では、図７を用いて説明したようにしてユーザ情報およびＵＩＤの認証がなされ、例えばコンテンツのコピーまたはムーブを許可する旨の通知が情報端末装置１０に対して送信される。
【００９７】
管理サーバ１２から送信されたこの通知がＵＩＤ送信／コピー・ムーブ可否受信回路２５に受信されると、受信された通知に基づき、スイッチ回路５０をオン状態に制御するような制御信号がＵＩＤ送信／コピー・ムーブ可否受信回路２５から出力される。これにより、スイッチ回路５０がオン状態とされ、端子５１から入力されたコンテンツデータは、ＣＤ−ＲＯＭエンコーダ２４に供給されてＣＤ−ＲＯＭ用のエラー訂正符号化処理がなされ、以降、ＣＩＲＣエンコーダ２３、ＥＦＭ回路２２および記録回路２１によりそれぞれ所定の処理がなされ、光学系ＯＰ２０により、ＣＤ−Ｒ１に記録される。
【００９８】
一方、管理サーバ１２から、コンテンツのコピーまたはムーブを許可しない旨の通知が送信された場合、この通知に基づき、スイッチ回路５０をオフ上イタイに制御するような制御信号がＵＩＤ送信／コピー・ムーブ可否受信回路２５から出力される。これにより、端子５１から入力されたコンテンツデータは、ＣＤ−ＲＯＭエンコーダ２４に供給されず、コンテンツデータのＣＤ−Ｒ１への記録は行われない。
【００９９】
なお、管理サーバ１２において、情報端末装置１０から送信されたＵＩＤを、当該ＵＩＤに基づくコピー可否、ムーブ可否の通知と共に情報端末装置１０に送信することができる。情報端末装置１０側で、受信された通知に基づきコンテンツのコピーまたはムーブを行う際に、当該記録を行う記録媒体のＵＩＤを再度読み出して、通知と共に受信されたＵＩＤと照合し、両者が一致しない場合や記録媒体からＵＩＤが読み出せなかった場合に、コンテンツのコピーまたはムーブを不可とするように制御することが可能である。
【０１００】
また、ＵＩＤが記録されたＣＤ−Ｒ１をプリペイド媒体として利用することができる。例えば、ＵＩＤが記録されたＣＤ−Ｒを、ＵＩＤが記録されていないＣＤ−Ｒよりも高額で販売する。その上で、ＵＩＤを用いて、上述したようなコンテンツのコピーまたはムーブの制御を行う。ＵＩＤが記録されたＣＤ−ＲとそうでないＣＤ−Ｒとの価格差を、例えばコンテンツ提供元に還元することで、コンテンツ提供元は、コンテンツの使用料などを受け取ることができる。
【０１０１】
上述では、この発明に適用されるデータ記録媒体がＣＤ−ＲやＣＤ−ＲＷといった、ユーザによるデータ記録が可能な光ディスクであるとして説明したが、これはこの例に限定されない。例えば、ハードディスクドライブ、半導体メモリ、光磁気ディスクなど、ユーザによるデータの記録が可能な様々なデータ記録媒体に対して、この発明を適用することができる。ハードディスクドライブの場合には、例えばハードディスクドライブのコントローラが有するＲＯＭなどに、予めＵＩＤを記録することができる。半導体メモリの場合には、メモリの一部にＲＯＭ領域を形成し、そのＲＯＭ領域に予めＵＩＤを記録しておくことができる。
【０１０２】
また、上述では、ＵＩＤがユーザによる任意のアクセスが不可能な領域に記録されるとして説明したが、これはこの例に限定されない。すなわち、ＵＩＤを、データ記録媒体上のユーザがアクセス可能な領域に記録しておくこともできる。例えば、ＣＤ−ＲＷにおいては、ＵＩＤをＴＯＣ情報として、リードインエリア内に予め書き込んでおくことができる。
【０１０３】
さらに、上述では、ＵＩＤがデータ記録媒体に予め記録されているとして説明したが、これはこの例に限定されない。通常のＣＤ−Ｒによるブランクディスクをドライブ装置に最初に装填した際に、ＰＭＡなどにＵＩＤを書き込むようにしてもよい。
【０１０４】
例えば、ブランクディスクが情報端末装置１０のデータ記録／再生装置に最初に装填されたときに、インターネット１１を介して管理サーバ１２がアクセスされ、このアクセスに応じて管理サーバ１２においてユーザ認証がなされ、ＵＩＤが発行される。発行されたＵＩＤは、管理サーバ１２から情報端末装置１０に送信される。このＵＩＤは、情報端末装置１０に受信され、装填されたＣＤ−Ｒに書き込まれる。これによれば、通常のＣＤ−Ｒを購入したユーザも、上述のようなダウンロードサービスや、コンテンツのコピーやムーブのサービスを受けられる。
【０１０５】
【発明の効果】
以上説明したように、この発明によれば、ユーザがデータを記録可能なデータ記録媒体にユニークな識別情報が記録されているため、この識別情報を用いてユーザに対して所定のサービスの提供が可能な、特別な存在の未記録のデータ記録媒体を製作することができる効果がある。
【０１０６】
また、この発明の実施の第１の形態によれば、ユーザがデータを記録可能なデータ記録媒体に予め記録されたユニークな識別情報を用いて、ユーザに対してデータのダウンロードサービスを提供し、ダウンロードされたデータを当該データ記録媒体に記録することができるという効果がある。またこれにより、データ記録媒体をプリペイド的に用いることができるという効果がある。
【０１０７】
また、この発明の実施の第２の形態によれば、ユーザがデータを記録可能なデータ記録媒体に予め記録されたユニークな識別情報を用いて、ユーザによる、コンテンツデータの当該データ記録媒体への複写やムーブを制御することができる効果がある。またこれにより、データ記録媒体をプリペイド的に用いることができるという効果がある。
【図面の簡単な説明】
【図１】ＣＤ−Ｒのデータレイアウトを概略的に示す略線図である。
【図２】この発明に適用可能な一例のシステム構成を示す略線図である。
【図３】この発明の実施の第１の形態による、情報端末装置と管理サーバとの間でなされるデータ処理の一例の手順を示すシーケンスチャートである。
【図４】メニュープログラムを起動させてからＣＤ−Ｒを装填し、ＵＩＤの有無を判断する一例の処理を示すフローチャートである。
【図５】ＣＤ−Ｒを装填してＵＩＤの有無を判断してから、メニュープログラムを起動する一例の処理を示すフローチャートである。
【図６】この発明の実施の第１の形態に適用可能なデータ記録／再生装置の一例の構成を示すブロック図である。
【図７】この発明の実施の第２の形態による、情報端末装置と管理サーバとの間でなされるデータ処理の一例の手順を示すシーケンスチャートである。
【図８】この発明の実施の第２の形態に適用可能なデータ記録／再生装置の一例の構成を示すブロック図である。
【符号の説明】
１・・・ＣＤ−Ｒ、１０・・・情報端末装置、１１・・・インターネット、１２・・・管理サーバ、２０・・・光学系、２１・・・記録回路、２５・・・ＵＩＤ送信／ＤＬデータ受信回路、３６・・・ＰＭＡ読み出し回路、３７・・・ＵＩＤ読み出し回路、４０・・・ＣＰＵ、５０・・・スイッチ回路、５２・・・ＵＩＤ送信／コピー・ムーブ可否受信回路
【図１】
2004134044.tif 000003
【図２】
2004134044.tif 000004
【図３】
2004134044.tif 000005
【図４】
2004134044.tif 000006
【図５】
2004134044.tif 000007
【図６】
2004134044.tif 000008
【図７】
2004134044.tif 000009
【図８】
2004134044.tif 000010